(57)【要約】【課題】建造物を増築する際において増築屋根施工を容易にし、且つ、増築屋根の下方に形成される室空間を大きくすること。【解決手段】所定の勾配の付いた既存屋根２を有する建造物１を前記既存屋根２の軒先方向へ増築する増築工法において、前記建造物１の既存屋根２の軒先部分の下方に、前記既存屋根２の勾配よりも緩やかな勾配を有する増築屋根３を、その一端側が前記軒先部分の下方に位置する前記建造物１の構造部材４に固定され、その他端側の前記軒先部分を越えて張出した先端部分の下方を新たに構築した構造部材５で支持して、前記増築屋根３の下に新たな室空間６を形成するように前記建造物１を増築すること。【選択図】      図１  
2005146796.tif 000002
【特許請求の範囲】
【請求項１】
所定の勾配の付いた既存屋根を有する建造物を前記既存屋根の軒先方向へ増築する増築工法において、
前記建造物の既存屋根の軒先部分の下方に、前記既存屋根の勾配よりも緩やかな勾配を有する増築屋根を、その一端側が前記軒先部分の下方に位置する前記建造物の構造部材に固定され、その他端側の前記軒先部分を越えて張出した先端部分の下方を新たに構築した構造部材で支持して、前記増築屋根の下に新たな室空間を形成するように前記建造物を増築することを特徴とする増築工法。
【請求項２】
前記既存屋根の軒先部分の既存屋根葺材と前記増築屋根の増築屋根葺材の境界に形成される隙間を水切り材で塞いだことを特徴とする請求項１に記載の増築工法。
【請求項３】
所定の勾配の付いた既存屋根を有する建造物を前記既存屋根の軒先方向へ増築した増築建造物において、
前記既存屋根の軒先側下方の構造部材と、該構造部材に一端側を連結され、且つ、他端側を既存屋根の軒先側より張出すと共に前記既存屋根の葺き下ろし梁の勾配よりも緩い勾配となるように新たに構築した構造部材で支持された葺き下ろし梁と、該葺き下ろし梁の上方に設けた野地板と、該野地板の上方に設けた屋根葺材を具備することを特徴とする増築建造物。
【請求項４】
前記既存屋根の既存屋根葺材の軒先側端と、増築屋根葺材の間に形成された隙間部を水切り材で塞いだことを特徴とする請求項３の増築建造物。
【発明の詳細な説明】
【技術分野】
【０００１】
この発明は、建造物の既存屋根の軒先方向へ増築する増築工法及び増築建造物に関し、とくに、増築屋根の勾配を既存屋根の勾配より緩くした増築工法及び増築建造物に関する。
【背景技術】
【０００２】
従来、図１の左半分に示す建造物１を既存屋根２の軒先方向へ増築する場合には、既存屋根２の屋根勾配と同じ勾配、例えば５／１０、で軒先方向へ延長して増築屋根３を形成すると共に、その延長方向の先端部分を新たに構築した軸組等の構造部材５で支持してなるものである。軒先方向へ延長して形成した増築屋根３の下方には新たな室空間６が形成される。このような増築工法では、まず、既存屋根２を構成する既存葺き下ろし梁７の軒先部分を切断して、その切断した既存葺き下ろし梁７の端部７ａに増築葺き下ろし梁１０を同じ勾配で溶接などによって連結し、この増築葺き下ろし梁１０の先端側の軒先部分となる長さ分だけ残した位置の下方を、新たに構築した構造部材である軸組５で支持して、その下方に新たな室空間６を形成している。増築葺き下ろし梁７の上方には野地板やルーフィング、カラーベスト等からなる増築屋根葺材１２を敷設して増築屋根３を構成し、既存屋根２から流れ落ちる雨水などがこの増築屋根３へと流れ落ちるように接続されている。
【発明の開示】
【発明が解決しようとする課題】
【０００３】
前記従来技術によると、既存屋根２を構成する既存葺き下ろし梁７の軒先部分を切断して、その切断した既存葺き下ろし梁７の端部７ａに、増築屋根３の増築葺き下ろし梁１０を同じ勾配となるように接続して形成するので、既存葺き下ろし梁７の切断のためにはその上方にある野地板やルーフィング、カラーベスト等からなる既存屋根葺材９をまず除去する必要があるので、切断の手間に加えて更に余分の手数がかかる。又、既存屋根２と増築屋根３の勾配が同じであるために、増築屋根３の軒先部分に近づく程天井高さが同じ割合で低くなり、増築屋根３の下に形成される室空間６が小さくなるという問題点がある。
【課題を解決するための手段】
【０００４】
この発明は上記課題を解決するためになされたものであって、その手段とするところは、
請求項１においては、所定の勾配の付いた既存屋根を有する建造物を前記既存屋根の軒先方向へ増築する増築工法において、前記建造物の既存屋根の軒先部分の下方に、前記既存屋根の勾配よりも緩やかな勾配を有する増築屋根を、その一端側が前記軒先部分の下方に位置する前記建造物の構造部材に固定され、その他端側の前記軒先部分を越えて張出した先端部分の下方を新たに構築した構造部材で支持して、前記増築屋根の下に新たな室空間を形成するように前記建造物を増築するところにある。
請求項２においては、前記既存屋根の軒先部分の既存屋根葺材と前記増築屋根の増築屋根葺材の境界に形成される隙間を水切り材で塞いだことにある。
請求項３においては、所定の勾配の付いた既存屋根を有する建造物を前記既存屋根の軒先方向へ増築した増築建造物において、前記既存屋根の軒先側下方の構造部材と、該構造部材に一端側を連結され、且つ、他端側を既存屋根の軒先側より張出すと共に前記既存屋根の葺き下ろし梁の勾配よりも緩い勾配となるように新たに構築した構造部材で支持された葺き下ろし梁と、該葺き下ろし梁の上方に設けた野地板と、該野地板の上方に設けた屋根葺材を具備することにある。
請求項４においては、前記既存屋根の既存屋根葺材の軒先側端と、増築屋根葺材の間に形成された隙間部を水切り材で塞いだことにある。
【発明の効果】
【０００５】
この発明によると、増築した建造物の増築屋根の勾配が、既存屋根の所定の勾配よりも緩やかであるので、その緩やかな分だけ増築部分の室の天井高さを高く形成することができる。その結果、室空間を大きくすることができる利点がある。加えて、既存屋根はそのままの状態で増築できるので、工程数が少なくなるのに加えて、増築工事期間及び増築費用の大幅な削減を図ることができる。
又、既存屋根の軒先部分の既存屋根葺材と増築屋根の増築屋根葺材の境界に形成される隙間を水切り材で塞いだので、雨水等の侵入を有効に防止することができる。加えて、外部からの見栄えも良くなる。
【発明を実施するための最良の形態】
【０００６】
この発明の実施の形態について以下図に基づいて説明する。この発明は、図１の右側半分に示すように、建造物１を既存屋根２の軒先方向へ増築する場合に、既存屋根２の軒先部分２ａの下方に、この既存屋根２の勾配、例えば５／１０、よりも緩やかな勾配、例えば２．５／１０、を有する増築屋根３を構築して増築したものである。この増築屋根３の棟側の一端側は、前記軒先部分２ａの下方に位置する建造物１の構造部材である受梁４に固定されており、その他端側の前記軒先部分２ａを越えて張出した先端部分の下方を新たに構築した構造部材である軸組５で支持している。そして、前記増築屋根３の下に新たな室空間６を形成している。
【０００７】
前記建造物１は、所定の勾配を有する既存屋根２を備えていればよく、木造、鉄骨、鉄筋などその造りには限定されるものではない。既存屋根２は、図２乃至図６においては、所定の勾配の付いた既存葺き下ろし梁７を有する複数の屋根トラス８の当該既存葺き下ろし梁７上に跨って野地板、ルーフィング、そしてカラーベストや瓦などからなる既存屋根葺材９が敷かれて構成されている。既存葺き下ろし梁７の軒先部分の下方は、受梁４によって支持されている。この受梁４は建造物１の図外の軸組に固定された構造部材であり、既存のものでも新設されたものでもよい。
【０００８】
前記増築屋根３を構成する増築葺き下ろし梁１０の棟側の一端側は、図２、図３に示す実施例においては、前記受梁４に取付金具１１を介してボルト固定されている。そして、図１に示すように、その他端側の前記軒先部分２ａを越えて張出した先端部分の下方を新たに構築した軸組５によって支持されている。又、この増築葺き下ろし梁１０は棟方行に複数設けられて、軒先方向を省略している図３に示すように、それらの上方に野地板やルーフィング、カラーベスト等の増築屋根葺材１２が敷かれている。そして、既存屋根葺材９と増築屋根葺材１２の間に形成された隙間１３を雨漏れ防止のために水切り材１４によって塞いでいる。
【０００９】
図４は、既存葺き下ろし梁７の軒先部分の下方が、建造物１の構造部材である軸組１５によって支持されている例を示す。この例の場合には、軸組１５を補強するために軸組１５にその頂部を固定するための取付突起１６ａを有する取付金具１６の両側に伝達梁１７をボルト１６ｂで固定すると共に、この取付金具１６の下方から出張った取付片１６ｃに増築葺き下ろし梁１０の一端側をボルト等によって固定した例である。その他は、図２、図３に示す増築葺き下ろし梁１０と同様である。
【００１０】
図５は、建造物１の構造部材を構成する受梁４にその頂部を固定するための取付突起１８ａを有する取付金具１８の両側に伝達梁１７をボルト１８ｂで固定すると共に、この取付金具１８の下方から出張った取付片１８ｃに増築葺き下ろし梁１０の一端をボルト等によって固定した例である。この実施例は、増築葺き下ろし梁１０を取付金具１８が下方へ出張っている分だけ下へ取付ける点が図２、図３と異なっているだけで、その他は、図２、図３に示す増築葺き下ろし梁１０と同じである。
【００１１】
図６は、前記受梁４の端部において取付金具１９を介しての増築葺き下ろし梁１０の一端側を連結固定したものである。その他は、図２、図３に示す増築葺き下ろし梁１０と同じである。
【００１２】
以上のようなこの発明の増築工法によると、図１に示すように、増築屋根３の勾配が既存屋根２の勾配よりも緩やかであるために、建造物１の中心から新たに構築した軸組５までの距離Ｌが同じ場合には、新たに構築した軸組５近辺の最も天井高さが低い位置でも、従来の同じ位置における天井高さに較べて高いために、増築屋根３の下方における室空間６において、図１に示すＸ距離分だけ高くなりその分だけ室空間６を有効に活用できる。
又、既存屋根２の軒先部分２ａはそのままの状態でよいので、施工工程が簡略化されると共に、廃棄物の発生も最小限になる。
【産業上の利用可能性】
【００１３】
この発明は、木造、鉄筋、鉄骨などの建造物の種類に関係なく、所定角度で傾斜した勾配を有する既存屋根全てに適用することができる。
【図面の簡単な説明】
【００１４】
【図１】本発明と従来技術の両方を対比的に示す建造物の中央部分省略横断面説明図
【図２】建造物の構造部材と軒先部分を一部省略した増築葺き下ろし梁の連結前の斜視説明図
【図３】図２の連結後の軒先部分を一部省略した斜視説明図
【図４】建造物の構造部材と増築葺き下ろし梁の連結前の他の例の斜視説明図
【図５】建造物の構造部材と増築葺き下ろし梁の連結前の他の例の斜視説明図
【図６】建造物の構造部材と増築葺き下ろし梁の連結前の他の例の斜視説明図
【図７】この発明による増築工法によって増築した建造物の概略斜視図。
【符号の説明】
【００１５】
１  建造物
２  既存屋根
２ａ  軒先部分
３  増築屋根
４  受梁（構造部材）
６  室空間
７  既存葺き下ろし梁
７ａ  既存葺き下ろし梁の端部
９  既存屋根葺材
１０  増築葺き下ろし梁
１２  増築屋根葺材
１３  隙間
１４  水切り材
【図１】
2005146796.tif 000003
【図２】
2005146796.tif 000004
【図３】
2005146796.tif 000005
【図４】
2005146796.tif 000006
【図５】
2005146796.tif 000007
【図６】
2005146796.tif 000008
【図７】
2005146796.tif 000009